(57)【要約】【課題】ネットワーク上での人間の行動範囲や購買行動をワールドワイドにして、且つ臨場感があふれるようバーチャル上に三次元レベルで表示するシステムを構築する。【解決手段】バーチャル世界を三次元仮想現実空間内で実現するサーバ装置２と、該サーバ装置２からアクセス可能に接続した世界情報データベース３とを備え、該世界情報データベース３は、不動産情報３Ａ、世界回遊情報３Ｂ、地理情報３Ｃ、商品およびサービス情報３Ｄをそれぞれ格納し、前記サーバ装置２は、バーチャル世界管理者Ｐの管理の下にバーチャル世界にアクセスできるようユーザ側クライアント装置５にネットワーク６を介して接続し、現実に存在する地球を中心とした宇宙空間を三次元レベルで創造したバーチャル世界を三次元仮想現実空間画像で表示する仮想現実空間提供手段７を有する。【選択図】図１
2007226614.tif 000002
【特許請求の範囲】
【請求項１】
バーチャル世界を三次元仮想現実空間内で実現させるサーバ装置と、該サーバ装置からアクセス可能に接続された世界情報データベースとを備え、該世界情報データベースは、バーチャル世界管理者によって建設された世界各国の都市における建築物・公共施設・個人所有物件・土地を含む不動産情報、各種の交通手段による世界回遊情報、各都市のデパートメントストア・店舗の地理情報、ユーザによる希望商品購入のための商品およびサービス情報を格納し、前記サーバ装置は、バーチャル世界管理者の管理の下にユーザ自身がこのバーチャル世界にアクセスすることができるようユーザ側クライアント装置にネットワークを介して接続され、当該サーバ装置にネットワーク接続された単数もしくは複数のユーザ側クライアント装置に対し、現実に存在する地球を中心とした宇宙空間を三次元レベルで創造して成るバーチャル世界を三次元仮想現実空間画像により表示することで三次元仮想現実空間を提供する仮想現実空間提供手段を有し、該仮想現実空間提供手段は、前記世界情報データベースの商品およびサービス情報に基づいてユーザ側クライアント装置によりバーチャル世界の中で商品及びサービスを購入させる商品およびサービス購入手段を有することを特徴とする仮想現実空間を利用したバーチャル世界回遊による商品およびサービスの提供システム。
【請求項２】
仮想現実空間提供手段は、ユーザ側クライアント装置により世界情報データベースに格納されている不動産情報を検索し、希望とする建物・土地をバーチャル世界管理者との交渉によってバーチャル上（ネットワーク上）で所有可能とする請求項１記載の仮想現実空間を利用したバーチャル世界回遊による商品およびサービスの提供システム。
【請求項３】
仮想現実空間提供手段は、前記バーチャル不動産の所有者に対し、現実世界にある所有者自身のホームページや市場へリンクを張ることを可能にする請求項１または２記載の仮想現実空間を利用したバーチャル世界回遊による商品およびサービスの提供システム。
【請求項４】
仮想現実空間提供手段は、取得したネットワーク上のバーチャル不動産を、売買や賃貸を含め仮想現実空間において定められた規約の制限の中で原則自由に利用できる請求項１乃至３のいずれか記載の仮想現実空間を利用したバーチャル世界回遊による商品およびサービスの提供システム。
【請求項５】
仮想現実空間提供手段は、バーチャル世界に地下鉄や鉄道・バス・タクシー・自家用車・飛行機・船の現実世界にある乗り物全てのオブジェクトを仮想現実空間内で動かせるようにした請求項１乃至４のいずれか記載の仮想現実空間を利用したバーチャル世界回遊による商品およびサービスの提供システム。
【請求項６】
仮想現実空間提供手段は、バーチャル世界に当該バーチャル世界の秩序を乱す者の取締りおよび排除、バーチャル世界の利用者間のトラブルの取り扱い、バーチャル世界での交通整理や交通事故の処理運営をバーチャル世界管理者が行なう業務内容としたバーチャル警察を設置可能にした請求項１乃至５のいずれか記載の仮想現実空間を利用したバーチャル世界回遊による商品およびサービスの提供システム。
【請求項７】
仮想現実空間提供手段は、前記した不動産の取得および売買はバーチャル世界管理者を経由するが、取得した後の賃貸借、物品の売買やサービスのやりとりなどは各利用者同志が互いに自由に交渉、契約、料金設定などができるものとした請求項１乃至６のいずれか記載の仮想現実空間を利用したバーチャル世界回遊による商品およびサービスの提供システム。
【請求項８】
仮想現実空間提供手段は、ユーザ側クライアント装置によりバーチャル世界の世界各国の都市における建築物・公共施設・個人所有物件・土地の中に進入することを可能にし、そこに現実世界とアクセス可能なタッチパネルを表示可能にした請求項１乃至７のいずれか記載の仮想現実空間を利用したバーチャル世界回遊による商品およびサービスの提供システム。
【請求項９】
仮想現実空間提供手段は、バーチャル世界で仮の姿に変身した個人のオブジェクトと他人のオブジェクトとが社交的・社会的な交渉を持つことを可能にした請求項１乃至８のいずれか記載の仮想現実空間を利用したバーチャル世界回遊による商品およびサービスの提供システム。
【請求項１０】
請求項１乃至９のいずれか記載の仮想現実空間を利用したバーチャル世界回遊による商品およびサービスの提供システムをコンピュータに機能させるためのシステムプログラム。
【請求項１１】
請求項１０記載のシステムプログラムを記録したコンピュータ読み取り可能な記録媒体。
【発明の詳細な説明】
【技術分野】
【０００１】
本発明は、三次元レベルの仮想現実空間を利用したバーチャル世界回遊による商品およびサービスの提供システムおよびそのシステムプログラムおよび記録媒体に関する。
【背景技術】
【０００２】
近年、楽天市場のようにネットワーク上でアクセスして複数の商品の中から特定の商品を選択して注文を出し、後日、宅配業者に依頼して該当商品が注文先に送られるようにした販売システムがある。
【０００３】
しかしながら、このような販売システムにおいては、ネットワークでのサイト上でカタログを提示するにとどまっているため、例えば実際にデパートメントストアに行って商品を購入するという視覚的な満足感は得られないのであった。
【０００４】
そこで、従来では、特許文献１に開示されているように、現存するデパートに対して仮想現実空間内で複数の仮想店舗から成るバーチャルデパートを実現させるためのサーバ装置を備え、該サーバ装置は、バーチャルデパート内に配置された複数の仮想店舗のうち、一部又は全部の仮想店舗に対応する各店舗が使用する各クライアント装置にネットワークを介して接続され、且つ前記バーチャルデパート内の商品を購入する購入者であるユーザのクライアント装置にネットワークを介して接続されて成るバーチャルデパートによる商品販売システムが提案された。
【特許文献１】特開２００３−３０４６９号公報
【発明の開示】
【発明が解決しようとする課題】
【０００５】
ただ、従来におけるバーチャルデパートによる商品販売システムは、実際にデパートメントストアに行って商品を購入するという視覚的な満足感は得られるものの、ユーザにとってはネットワーク上においての特定地域、例えば地図情報データベースを参照して、ユーザの指定した住所情報に基づき一番近くの店舗を検索するというように、店舗・商店のある地域が三次元レベルの仮想現実空間内で現実なものとして捉えられている。
【０００６】
したがって、従来においては、世界中にある各国の都市を三次元レベルの仮想現実空間内で自由に回遊して、希望とする国の都市・街での様々なデパートメントストア・店舗・商店を探索するというワールドワイドな購買行動が得られないものである。例えば、希望とする対象があればそこに自由に中に入って見ることができ、しかもその国のデパートメントストア・店舗等が気に入らなければその対象から外に出て、再度、他の国の都市・街等を回遊して他の対象を探索するというような仮想現実空間内での行動範囲の拡大が未だに実現されていないのである。
【０００７】
そこで、本発明は、叙上のような従来存した諸事情に鑑み創出されたもので、ネットワーク上での人間の行動範囲や購買行動をワールドワイドにして、且つ臨場感があふれるようバーチャル上に三次元レベルで表示するシステムを構築することのできる仮想現実空間を利用したバーチャル世界回遊による商品およびサービスの提供システムおよびそのシステムプログラムおよび記録媒体を提供することを目的とする。
【課題を解決するための手段】
【０００８】
上述した課題を解決するため、本発明にあっては、バーチャル世界を三次元仮想現実空間内で実現させるサーバ装置と、該サーバ装置からアクセス可能に接続された世界情報データベースとを備え、該世界情報データベースは、バーチャル世界管理者によって建設された世界各国の都市における建築物・公共施設・個人所有物件・土地を含む不動産情報、各種の交通手段による世界回遊情報、各都市のデパートメントストア・店舗の地理情報、ユーザによる希望商品購入のための商品およびサービス情報を格納し、前記サーバ装置は、バーチャル世界管理者の管理の下にユーザ自身がこのバーチャル世界にアクセスすることができるようユーザ側クライアント装置にネットワークを介して接続され、当該サーバ装置にネットワーク接続された単数もしくは複数のユーザ側クライアント装置に対し、現実に存在する地球を中心とした宇宙空間を三次元レベルで創造して成るバーチャル世界を三次元仮想現実空間画像により表示することで三次元仮想現実空間を提供する仮想現実空間提供手段を有し、該仮想現実空間提供手段は、前記世界情報データベースの商品およびサービス情報に基づいてユーザ側クライアント装置によりバーチャル世界の中で商品及びサービスを購入させる商品およびサービス購入手段を有することを特徴とする。
【０００９】
仮想現実空間提供手段は、ユーザ側クライアント装置により世界情報データベースに格納されている不動産情報を検索し、希望とする建物・土地をバーチャル世界管理者との交渉によってバーチャル上（ネットワーク上）で所有可能とすることができる。
【００１０】
仮想現実空間提供手段は、前記バーチャル不動産の所有者に対し、現実世界にある所有者自身のホームページや市場へリンクを張るのを可能にすることができる。
【００１１】
仮想現実空間提供手段は、取得したネットワーク上のバーチャル不動産を、売買や賃貸を含め仮想現実空間において定められた規約の制限の中で原則自由に利用できるものとすることができる。
【００１２】
仮想現実空間提供手段は、バーチャル世界に地下鉄や鉄道・バス・タクシー・自家用車・飛行機・船の現実世界にある乗り物全てのオブジェクトを仮想現実空間内で動かせるようにしたものとすることができる。
【００１３】
仮想現実空間提供手段は、バーチャル世界に当該バーチャル世界の秩序を乱す者の取締りおよび排除、バーチャル世界の利用者間のトラブルの取り扱い、バーチャル世界での交通整理や交通事故の処理運営をバーチャル世界管理者が行なう業務内容としたバーチャル警察を設置可能にした構成とすることができる。
【００１４】
仮想現実空間提供手段は、前記した不動産の取得および売買はバーチャル世界管理者を経由するが、取得した後の賃貸借、物品の売買やサービスのやりとりなどは各利用者同志が互いに自由に交渉、契約、料金設定などができるものとすることができる。
【００１５】
仮想現実空間提供手段は、ユーザ側クライアント装置によりバーチャル世界の世界各国の都市における建築物・公共施設・個人所有物件・土地の中に進入することを可能にし、そこに現実世界とアクセス可能なタッチパネルを表示可能にしたものとすることができる。
【００１６】
仮想現実空間提供手段は、バーチャル世界で仮の姿に変身した個人のオブジェクトと他人のオブジェクトとが社交的・社会的な交渉を持つことを可能にした構成とすることができる。
【００１７】
請求項１乃至９のいずれか記載の仮想現実空間を利用したバーチャル世界回遊による商品およびサービスの提供システムをコンピュータに機能させるためのシステムプログラムとすることができる。
【００１８】
請求項１０記載のシステムプログラムを記録したコンピュータ読み取り可能な記録媒体とすることができる。
【発明の効果】
【００１９】
本発明によれば、ネットワーク上での人間の行動範囲や購買行動をワールドワイドにして、且つ臨場感があふれるようバーチャル上に三次元レベルで表示するシステムを構築することができる。
【００２０】
また、ネットワーク上での販売サイトにおいて商品の販売を行なう際に、バーチャル世界回遊によるサービスを提供することにより、実際に世界に出掛けて商品を購入したような臨場感、視覚的・聴覚的な満足感をユーザ側に与えることが可能となる。そして、希望とする対象があればその世界に自由に中に入って見ることができ、しかもその国のデパートメントストア・店舗等が気に入らなければその対象から外に出て、再度、他の国の都市・街等を回遊して他の対象を探索することができる。
【００２１】
具体的には、例えばニューヨークのティファニー（創作した名称でも可）で回遊しながら買物する場合、各ユーザである主人が飛行機に乗ってニューヨークの空港へ行き、空港からタクシーに乗ってティファニーの都市へ行くことができ、ティファニーの街を回遊して例えばデパートや商店を見つけ出して店舗に入るとそこでは店員が対応し、主人は店舗の中を巡回し様々な商品を見ながら自由に選択でき、希望する商品の値引き等を店員と交渉することもできる。
【００２２】
さらに、本発明に係る仮想現実空間提供手段によりバーチャル世界の中で商品及びサービスを購入させる商品およびサービス購入手段は、バーチャル世界の各都市におけるデパートメントストア・店舗等の内部配置に従ってユーザ側クライアント装置に提示させ、ユーザは商品およびサービス情報に従って商品及びサービスを選択することができるので、実際のデパート等における商品及びサービス販売率を飛躍的に伸ばすことができる。
【００２３】
仮想現実空間提供手段は、ユーザ側クライアント装置により世界情報データベースに格納されている不動産情報を検索し、希望とする建物・土地をバーチャル世界管理者との交渉によってバーチャル上（ネットワーク上）で所有可能とするので、バーチャル世界の中で不動産を所有しているという視覚的な満足感が得られ、商品及びサービスの購買意欲も向上する。
【００２４】
仮想現実空間提供手段は、前記バーチャル不動産の所有者に対し、現実世界にある所有者自身のホームページや市場へリンクを張るのを可能にするので、バーチャル世界の中での個人サイトへの移動が可能となり、また市場においては例えば通信販売サイトで容易に所望の商品を探して購入することができる。
【００２５】
仮想現実空間提供手段は、取得したネットワーク上のバーチャル不動産を、売買や賃貸を含め仮想現実空間において定められた規約の制限の中で原則自由に利用できるので、バーチャル世界の中でのバーチャル不動産の活用性がさらに向上する。
【００２６】
仮想現実空間提供手段は、バーチャル世界に地下鉄や鉄道・バス・タクシー・自家用車・飛行機・船の現実世界にある乗り物全てのオブジェクトを仮想現実空間内で動かせるようにしたので、その乗り物に現実に乗って自由に移動しているかの如き、視覚的な満足感が得られる。
【００２７】
仮想現実空間提供手段は、バーチャル世界に当該バーチャル世界の秩序を乱す者の取締りおよび排除、バーチャル世界の利用者間のトラブルの取り扱い、バーチャル世界での交通整理や交通事故の処理運営をバーチャル世界管理者が行なう業務内容としたバーチャル警察を設置可能にしたので、バーチャル世界の中での秩序を適格に遵守することができる。
【００２８】
仮想現実空間提供手段は、前記した不動産の取得および売買はバーチャル世界管理者を経由するが、取得した後の賃貸借、物品の売買やサービスのやりとりなどは各利用者同志が互いに自由に交渉、契約、料金設定などができるものとしたので、いっそう取引の活性化を図ることができる。
【００２９】
仮想現実空間提供手段は、ユーザ側クライアント装置によりバーチャル世界の世界各国の都市における建築物・公共施設・個人所有物件・土地の中に進入することを可能にし、そこに現実世界とアクセス可能なタッチパネルを表示可能にしたので、実際に世界に出掛けて行って、商品及びサービスを購入するというような臨場感、視覚的・聴覚的な満足感をユーザ側に与えることが可能となる。
【００３０】
仮想現実空間提供手段は、バーチャル世界で仮の姿に変身した個人のオブジェクトと他人のオブジェクトとが社交的・社会的な交渉を持つことを可能にしたので、商品やサービスの受け渡しの利便性が向上する。
【発明を実施するための最良の形態】
【００３１】
以下、図面を参照して本発明を実施するための最良の一形態を説明する。
図において示される符号１は、本発明に係る仮想現実空間を利用したバーチャル世界回遊による商品及びサービスの提供システムを構成するシステム本体であり、該システム本体１は、図１に示すように、バーチャル世界管理者Ｐによって管理されたバーチャル世界を三次元仮想現実空間内で実現させるためのサーバ装置２と、該サーバ装置２からアクセス可能に接続された世界情報データベース３とを備えている。
【００３２】
サーバ装置２は、バーチャル世界管理者Ｐの管理の下にユーザ自身がこのバーチャル世界にアクセスすることができるようバーチャル世界管理者Ｐのサーバ側コンピュータ４に設置されており、該サーバ側コンピュータ４は例えば設置型の汎用パーソナルコンピュータやモバイルコンピュータ等の単数もしくは複数のユーザ側クライアント装置５に、例えばインターネット・イントラネット・エクストラネット・ＷＡＮ・ＬＡＮ等の専用回線によるネットワーク６を介して接続されている。
【００３３】
世界情報データベース３は、バーチャル世界管理者Ｐによって建設された世界各国の都市における建築物・公共施設・個人所有物件・土地を含む不動産情報３Ａ、各種の交通手段による世界回遊情報３Ｂ、各都市のデパートメントストア・店舗の地理情報３Ｃ、ユーザによる希望商品及びサービス購入のための商品およびサービス情報３Ｄ等を格納し、後述する仮想現実空間提供手段７によって、アクセスしたユーザ側に各情報を提供するものとしてある。
【００３４】
また、バーチャル世界管理者Ｐのサーバ側コンピュータ４に設置されているサーバ装置２には、現実に存在する地球を中心とした宇宙空間をバーチャル世界管理者Ｐ自身により三次元レベルで予め創造しておき、このバーチャル世界を周知の三次元仮想現実空間画像により表示可能にさせ、これによりネットワーク６上でアクセスしたユーザ側に対し三次元仮想現実空間によるバーチャル世界を提供するものとした仮想現実空間提供手段７を備えている。こうしてユーザ側クライアント装置５によりネットワーク６を介して、バーチャル世界管理者Ｐの管理の下にこのバーチャル世界に自由にアクセスすることができる。
【００３５】
そして、図３に示すように、仮想現実空間提供手段７は、都市における建築物・公共施設・個人所有物件・土地を含む不動産情報３Ａに従ってユーザ側クライアント装置５にバーチャル不動産画像を提示する不動産提示手段２６と、前記世界回遊情報に従ってユーザ側クライアント装置５に各種の交通手段による世界回遊画像を提示する世界回遊提示手段２７と、前記地理情報３Ｃに従ってユーザ側クライアント装置５に各都市のデパートメントストア・店舗等の地理画像を提示する地理提示手段２８を備えている。
【００３６】
さらに、この仮想現実空間提供手段７は、世界情報データベース３に格納されている商品およびサービス情報３Ｄに基づいて各種の商品及びサービスをバーチャル世界のデパートメントストア・店舗等に陳列提示させるものとしてある。そしてユーザ側クライアント装置５である例えば汎用パーソナルコンピュータ等の入力操作により商品およびサービス情報３Ｄを参照し、バーチャル世界の中で希望とする商品及びサービスを購入させるための商品およびサービス購入手段８を備えている。
【００３７】
次に、この商品およびサービス購入手段８の具体的な構成としては、以下のようなバーチャルデパートによる商品販売システムを採用することができる。
【００３８】
すなわち、サーバ装置２は、図３に示すように、バーチャル世界の中におけるデパートメントストア・店舗等に対応する各店舗側クライアント装置９にネットワーク６を介して接続されており、仮想現実空間提供手段７は、バーチャル世界の各都市におけるデパートメントストア・店舗等の内部配置に従ってユーザ側クライアント装置５に提示させ、ユーザは商品およびサービス情報３Ｄに従って商品及びサービスを選択するものとしてある。
【００３９】
具体的には、サーバ装置２は、商品およびサービス情報３Ｄが格納された世界情報データベース３にアクセス可能とし、商品およびサービス情報３Ｄは、商品及びサービスの品名や品番等の商品等を特定する情報は勿論、その他に例えばデパートメントストアでの店舗配置情報３Ｅ、店舗内での棚配置情報３Ｆ、商品陳列情報３Ｇ、商品価格情報３Ｈ等を含むものとなっている。
【００４０】
そして、仮想現実空間提供手段７は、デパートにおける各店舗を前記店舗配置情報３Ｅにおける店舗の配置に従ってユーザ側クライアント装置５に提示する仮想店舗提示手段２１と、該仮想店舗提示手段２１で提示された各店舗における棚を、前記棚配置情報３Ｆに従ってユーザ側クライアント装置５に提示する棚提示手段２２と、該棚提示手段２２で提示された各棚における商品を前記商品陳列情報３Ｇに従ってユーザ側クライアント装置５に提示する商品提示手段２３と、該商品提示手段２３で提示した商品をユーザ側クライアント装置５に選択させる商品選択手段２４と、前記商品提示手段２３で提示した商品の商品価格情報３Ｈをユーザ側クライアント装置５に提示して紹介する商品紹介手段２５とを備えている。
【００４１】
また、サーバ装置２は、ネットワーク６を介して各店舗側クライアント装置９に接続され、各店舗側クライアント装置９から、バーチャル世界管理者Ｐのサーバ側コンピュータ４に設置されている世界情報データベース３の商品およびサービス情報３Ｄデータバンクに商品およびサービス情報３Ｄを登録させるようにしている。
【００４２】
また、仮想現実空間提供手段７においては、三次元グラフィックスデータを解釈して対応する三次元仮想現実空間画像を表示し、地理的に大体の地形を再現して現在ある有名な建築物（法的問題が有ればネットワーク６上で仮名を使う）をその上に三次元レベルでオリジナル的に創造する。それらの建物には公共施設（法的問題が有ればネットワーク６上で仮名を使う）も含み、個人所有の建物も対象とする。尚、三次元仮想現実空間とは、擬似的な体験を可能とする空間であれば良い。
【００４３】
一般的に、コンピュータ上に擬似的に三次元仮想現実空間を表現するための方法としては、例えば幾何学をベースとしたＶＲＭＬ、ＯｐｅｎＧＬ、ＤｉｒｅｃｔＸ、ＤＸＦ等の三次元空間フォーマットがあり、このようなコンピュータグラフィックスにおける三次元表示は、システム内に架空の三次元座標系を構築して計算を行なうものである。また、二次元の網膜像の連携を前提とする認知的なアプローチとして、例えばＡｐｐｌｅ社のＱｕｉｃｋ  Ｔｉｍｅ−ＶＲ等のようなフォーマットがあり、より現実に近い臨場感のある空間表現を行なうために、デジタル写真等、現実空間を撮影した素材を用いて短時間で構成することもできる。
【００４４】
バーチャル世界には、例えば東京、ニューヨーク、パリ、ロンドン、北京等のいろいろな都市が存在する。これら都市の内の建物はバーチャル世界管理者Ｐが全て建設する。ユーザはそれらの建物や土地をバーチャル世界管理者Ｐとの交渉によってバーチャル上（ネットワーク６上）で所有することができ、しかもこのような建物や土地の所有者は、現実世界の自分のホームページや市場へリンクを張ることができる。また、この所有者は取得したネットワーク６上のバーチャル不動産を売買や賃貸を含め仮想現実空間において定められた規約の制限の中で原則自由に利用できるものとしてある。
【００４５】
仮想現実空間提供手段７は、バーチャル世界に地下鉄や鉄道・バス・タクシー・自家用車・飛行機・船の現実世界にある乗り物全てのオブジェクトを三次元仮想現実空間内で動かせるようにしてある。例えば、図４に示すように、各ユーザが飛行機３１に乗って各国の空港へ行く画像が表示されたり、図５に示すように、空港からタクシー３２に乗って各都市へ行く画像が表示されたりする。
【００４６】
さらにバーチャル世界には、図５に示すように、バーチャル警察３３を設置し、その運営はバーチャル世界管理者Ｐが行なう。バーチャル警察３３の主たる業務内容は、バーチャル世界の秩序を乱す者の取締りおよび排除、バーチャル世界の利用者間のトラブルの取り扱い、バーチャル世界での交通整理や交通事故等の処理等である。
【００４７】
尚、仮想現実空間提供手段は、前記した不動産の取得および売買はバーチャル世界管理者Ｐを経由するが、取得した後の賃貸借、物品の売買やサービスのやりとりなどは各利用者同志が互いに自由に交渉、契約、料金設定などができるようにする。
【００４８】
仮想現実空間提供手段７は、ユーザ側クライアント装置５の入力操作によりバーチャル世界の世界各国の都市におけるデパートメントストア・店舗、あるいはその国固有の建築物・公共施設、さらには個人所有物件・土地等の様々な対象の中に進入することを可能にし、そこにユーザ側クライアント装置５のマウスポインタの操作によって現実世界とアクセス可能なタッチパネルＴを表示可能にしてある（図２（ｅ）参照）。
【００４９】
また、仮想現実空間提供手段７は、バーチャル世界で仮の姿に変身したすなわち擬人化したユーザ個人の分身であるオブジェクト（アバタ）と、他人のオブジェクトとを三次元仮想現実空間内で表示させて動かせるようにしてあり、これによりユーザはバーチャル世界の中で社交的・社会的な交渉を持つことを可能にしている。
【００５０】
次に、バーチャル世界管理者Ｐによって創作されるバーチャル世界の三次元仮想現実空間画像での具体的な視界形成の一例について図２を参照して説明する。
【００５１】
先ず、サーバ側コンピュータ４内に地球１０の地形をインプットする（図２（ａ）参照）。
【００５２】
そして、その地球１０を緯度と経度毎に球面ネット状の罫線１１を使って分割する（図２（ｂ）参照）。
【００５３】
分割後、１ブロック毎に分けて都市１２を構築する。このとき特定のブロックをクローズアップしてからそこに例えば東京の都市１２ａをバーチャル上に構築する（図２（ｃ）参照）。例えば、世界各国の都市におけるデジタル写真で撮影した建築物・公共施設・個人所有物件・土地を含む不動産情報３Ａ、各種の交通手段による世界回遊情報３Ｂ、各都市のデパートメントストア・店舗の地理情報３Ｃ、ユーザによる希望商品購入のための商品およびサービス情報３Ｄ等を不図示の情報登録手段に基づきサーバ側コンピュータ４で入力し、サーバ装置２に格納する。
【００５４】
ユーザ側クライアント装置５の入力操作により、ユーザは三次元レベルでバーチャル的に都市内を回遊できるようにする（図２（ｄ）参照）。このときユーザ自身の視線で街や建物を見えるようにするために、例えば三次元仮想現実空間内におけるユーザの視点すなわち表示画像を移動させることができるようにする。
【００５５】
また、ユーザはバーチャル世界の建物の中に進入することを可能にし、そこに現実世界とアクセス可能なタッチパネルＴを作る（図２（ｅ）参照）。
【００５６】
また、バーチャル世界では、仮の姿に変身した人間１３が他人との社交的・社会的な交渉を持つことができるように、これら擬人化したオブジェクト（アバタ）を仮想現実空間内で表示させて動かせるようにする。
【００５７】
こうして、ネットワーク６上での人間１３の行動範囲や購買行動をワールドワイドにして、且つ臨場感があふれるようバーチャル上に三次元レベルで表示することのできるシステム本体１が構築されるのである。
【００５８】
すなわち、このバーチャル世界は、地球１０あるいは宇宙空間を三次元レベルで創造してあり、このバーチャル世界の中には緯度と経度毎に分割された１ブロック毎に各国の都市１２，１２ａや建物１２ｂ、その中にあるバーチャルな店舗、交通手段、警察３３、店員１６、主人（個人）等が存在する。尚、地球１０の替わりに例えば月や火星等の宇宙空間に構築しても良い。
【００５９】
次に、ユーザ側クライアント装置５の表示画面に表示されるバーチャル世界の三次元仮想現実空間画像の一例について説明する。
【００６０】
バーチャル世界の利用に際し、例えば、ニューヨークのティファニー（創作した名称でも可）で回遊しながら買物する場合、図４に示すように、各ユーザである主人（人間１３）が飛行機３１に乗ってニューヨークの空港へ行く画像が表示される。
【００６１】
そして、図５に示すように、空港からタクシー３２に乗ってティファニーの都市へ行く画像が表示される。また、都市には、バーチャル警察３３が表示される。
【００６２】
そして、図６に示すように、ニューヨーク都市のティファニーの街等を回遊して当該ティファニー、あるいはデパートや商店等を見つけ出して目的の店舗１７に入る画像が表示される。図７に示すように、主人は店舗１７の中を巡回し様々な商品を見る。商品を選択後、図８に示すように、希望する商品の値引きを店員１６と交渉し、これを購入する。このとき、画面の端部には、ユーザが所望する商品を選択して保持するための買物カゴ１４、および各種情報を提示するための欄１５が表示されており、この買物カゴ１４に保持している商品に対して最終的にユーザは購入を行なうか否かを決定する。
【００６３】
以上の商品代はネットワーク６上を通じて売元へ直接支払う。購入した商品は現実世界において主人の元へ宅配便または郵便等を通して送付される。こうして、各ユーザである主人は地球あるいは宇宙空間のどこへでも気軽に出掛けて行き、バーチャル世界において実際の店舗での買物や回遊等と同じ結果がバーチャル上で得られるものとなる。旅行業者を通じてチケット等の購入等、種々なサービスの提供を受けることも可能である。
【００６４】
尚、本発明に係る仮想現実空間を利用したバーチャル世界回遊による商品及びサービス提供システムをコンピュータに機能させるための、あるいはコンピュータに当該システムの処理手順を実行させるためのプログラムとしたり、あるいはそのプログラムを記録したコンピュータ読み取り可能な例えばＣＤ−ＲＯＭ、光磁気デイスク、ＤＶＤ−ＲＯＭ、ＦＤ、フラッシュメモリ、メモリステイック等の記録媒体としての形態も可能である。
【図面の簡単な説明】
【００６５】
【図１】本発明を実施するための最良の形態におけるシステム構成図である。
【図２】同じくバーチャル世界の三次元仮想現実空間画像での具体的視界の一例を示すもので、（ａ）は地球の地形をコンピュータ内にインプットした状態の画像を示す説明図、（ｂ）は地球を緯度と経度毎に分割した状態の説明図、（ｃ）は１ブロック毎に分けて都市を構築した状態の説明図、（ｄ）はバーチャル的に都市内を回遊する状態の説明図、（ｅ）は建物の中に進入した状態の説明図である。
【図３】本発明を実施するための最良の形態における他の例を示すシステム構成図である。
【図４】各ユーザが飛行機に乗ってニューヨークの空港へ行く画像の説明図である。
【図５】空港からタクシーに乗ってティファニーの都市へ行く画像の説明図である。
【図６】都市を回遊してデパートや店舗に入る画像の説明図である。
【図７】店舗の中を巡回している画像の説明図である。
【図８】店員と交渉している画像の説明図である。
【符号の説明】
【００６６】
Ｐ      バーチャル世界管理者
１      システム本体
２      サーバ装置
３      世界情報データベース
３Ａ    不動産情報
３Ｂ    世界回遊情報
３Ｃ    地理情報
３Ｄ    商品およびサービス情報
３Ｅ    店舗配置情報
３Ｆ    棚配置情報
３Ｇ    商品陳列情報
３Ｈ    商品価格情報
４      サーバ側コンピュータ
５      ユーザ側クライアント装置
６      ネットワーク
７      仮想現実空間提供手段
８      商品およびサービス購入手段
９      店舗側クライアント装置
１０    地球
１１    罫線
１２    都市
１２ａ  都市
１２ｂ  建物
１３    人間
１４    買物カゴ
１５    欄
１６    店員
１７    店舗
２１    仮想店舗提示手段
２２    棚提示手段
２３    商品提示手段
２４    商品選択手段
２５    商品紹介手段
２６    不動産提示手段
２７    世界回遊提示手段
２８    地理提示手段
３１    飛行機
３２    タクシー
３３    バーチャル警察
【図１】
2007226614.tif 000003
【図２】
2007226614.tif 000004
【図３】
2007226614.tif 000005
【図４】
2007226614.tif 000006
【図５】
2007226614.tif 000007
【図６】
2007226614.tif 000008
【図７】
2007226614.tif 000009
【図８】
2007226614.tif 000010